(57)【要約】【課題】デジタル放送の番組表と共に、番組の予約情報を時間軸で表示するための予約情報表示バーを表示して、その予約情報表示バーにより予約済番組の予約情報を確認しながら予約できるようにする。【解決手段】デジタル放送番組予約表示装置２０は、デジタル放送の放送信号を受信するチューナ２２，受信した放送信号からＥＰＧデータを抽出する分離部２４，抽出したＥＰＧデータを格納するＲＡＭ２６，格納したＥＰＧデータから番組表を作成すると共に、作成した番組表の画面表示を制御するデータ処理部２９，該番組表から予約された番組の予約情報をその番組データに関連付けて格納する予約情報格納部３３ａを備え、データ処理部２９は、予約情報格納部３３ａに格納した予約情報を時間軸でバー表示し、該予約情報表示バーにより番組の予約情報及び該予約情報に関連付けられた番組情報を表示する。【選択図】図２
2005191944.tif 000002
【特許請求の範囲】
【請求項１】
デジタル放送の放送信号を受信する受信手段を備えたデジタル放送番組予約表示装置において、前記受信手段により受信した放送信号から電子番組ガイド（ＥＰＧ）データを抽出するＥＰＧデータ抽出手段と、該抽出したＥＰＧデータを格納するＥＰＧデータ格納手段と、該格納したＥＰＧデータから番組表を作成する番組表作成手段と、該作成した番組表を画面に表示させる表示制御手段と、該画面表示した番組表から視聴予約や録画予約などの予約種別に番組予約を実行する予約手段とを備えたことを特徴とするデジタル放送番組予約表示装置。
【請求項２】
請求項１に記載のデジタル放送番組予約表示装置において、前記予約手段によって予約された番組の予約情報をその番組データに関連付けて格納する予約情報格納手段を備え、前記表示制御手段は、前記予約情報格納手段により格納した予約情報を時間軸でバー表示し、該予約情報表示バーにより前記番組表に表示されている時間帯において予約の有無を判別できるようにしたことを特徴とするデジタル放送番組予約表示装置。
【請求項３】
請求項１又は２に記載のデジタル放送番組予約表示装置において、前記表示制御手段は、前記予約手段によって予約された番組の予約情報を、予約種別に時間軸でバー表示するための予約情報表示バーを表示させることを特徴とするデジタル放送番組予約表示装置。
【請求項４】
請求項３に記載のデジタル放送番組予約表示装置において、前記表示制御手段は、前記予約手段によって予約種別に予約された番組の予約情報を、１つの予約情報表示バーにまとめて表示できるようにしたことを特徴とするデジタル放送番組予約表示装置。
【請求項５】
請求項１乃至４のいずれか１に記載のデジタル放送番組予約表示装置において、前記表示制御手段は、前記予約情報表示バーに含まれる各番組の予約情報に対応させて、予約した番組に関する番組名、放送時間帯などを含む番組情報を表示することを特徴とするデジタル放送番組予約表示装置。
【請求項６】
請求項１乃至５のいずれか１に記載のデジタル放送番組予約表示装置において、前記表示制御手段は、前記予約情報表示バーに既に表示されている番組の表示枠の色と、該番組に対応する前記番組表に表示された番組の表示枠の色とを同じ色で表示することを特徴とするデジタル放送番組予約表示装置。
【請求項７】
請求項１乃至６のいずれか１に記載のデジタル放送番組予約表示装置において、前記予約手段は、予約実行時において、任意の放送時間帯に対して番組の重複予約を受け付けると共に、番組の予約開始／終了時間を当該番組の放送時間帯内で任意に選択可能とし、前記表示制御手段は、前記予約情報表示バーにおいて前記重複予約した番組の予約情報を表示できるようにしたことを特徴とするデジタル放送番組予約表示装置。
【請求項８】
請求項７に記載のデジタル放送番組予約表示装置において、前記表示制御手段は、前記予約情報表示バーを表示して予約を行うための予約画面を表示可能とし、該予約画面上で既に番組が予約されている時間帯の少なくとも一部に重複させて新規予約を行う際に、該新規予約する番組の予約情報を前記予約情報表示バーの時間軸に合わせて表示させることを特徴とするデジタル放送番組予約表示装置。
【請求項９】
請求項７又は８に記載のデジタル放送番組予約表示装置において、前記表示制御手段は、前記予約画面上で既に番組が予約されている時間帯の少なくとも一部に重複させて新規予約を行う際に、該新規予約する番組の予約情報を前記予約情報表示バーに既に表示されている番組の予約情報に重ねて表示させることを特徴とするデジタル放送番組予約表示装置。
【請求項１０】
請求項９に記載のデジタル放送番組予約表示装置において、前記表示制御手段は、前記予約画面上で既に番組が予約されている時間帯の少なくとも一部に重複させて新規予約を行う際に、該新規予約する番組の予約情報と、前記既に予約されている番組の予約情報とを比較し、その比較結果に基づいて前記重複予約において想定される予約パターンを画面に表示させ、該画面表示させた予約パターンを選択できるようにしたことを特徴とするデジタル放送番組予約表示装置。
【請求項１１】
請求項７乃至１０のいずれか１に記載のデジタル放送番組予約表示装置において、前記表示制御手段は、前記重複予約の対象となる番組の放送時間帯と予約時間帯の双方を含めた前記番組の予約情報を前記予約情報表示バーに表示することにより、重複予約されていることを通知できるようにしたことを特徴とするデジタル放送番組予約表示装置。
【請求項１２】
請求項７乃至１０のいずれか１に記載のデジタル放送番組予約表示装置において、前記表示制御手段は、前記予約情報表示バーに既に表示されている番組の予約情報に前記重複予約の対象となる番組の予約情報を重ねて表示すると共に、該予約情報の表示枠の色を異ならせて表示し、該予約情報の重なり方及び表示枠の色の違いによって重複予約されていることを通知できるようにしたことを特徴とするデジタル放送番組予約表示装置。
【請求項１３】
請求項７乃至１０のいずれか１に記載のデジタル放送番組予約表示装置において、前記表示制御手段は、前記予約情報表示バーに既に表示されている番組の予約情報に前記重複予約の対象となる番組の予約情報を重ねて表示すると共に、該予約情報の表示枠の大きさを異ならせて表示し、該予約情報の重なり方及び表示枠の大きさの違いによって重複予約されていることを通知できるようにしたことを特徴とするデジタル放送番組予約表示装置。
【請求項１４】
請求項７乃至１０のいずれか１に記載のデジタル放送番組予約表示装置において、前記表示制御手段は、前記予約情報表示バーに既に表示されている番組の予約情報に前記重複予約の対象となる番組の予約情報を重ねて表示すると共に、該予約情報に重複予約である旨を示す識別情報を表示し、該予約情報の重なり方及び識別情報によって重複予約されていることを通知できるようにしたことを特徴とするデジタル放送番組予約表示装置。
【請求項１５】
請求項１乃至１４のいずれか１に記載のデジタル放送番組予約表示装置において、前記表示制御手段は、前記予約手段により、任意の番組をその放送時間帯よりも短い時間帯で予約した際に、前記予約情報表示バーにおいて前記番組の予約情報に放送時間帯と予約時間帯の両方を含めて表示することにより、前記番組がその放送時間帯全てに渡って予約されていないことを通知できるようにしたことを特徴とするデジタル放送番組予約表示装置。
【請求項１６】
請求項１乃至１５のいずれか１に記載のデジタル放送番組予約表示装置において、前記表示制御手段は、前記予約手段により、任意の番組をその放送時間帯よりも短い時間帯で予約した際に、前記予約情報表示バーにおいて前記番組の予約時間帯に応じた表示枠に対して前記放送時間帯に応じた表示枠を同時に表示することにより、前記番組がその放送時間帯全てに渡って予約されていないことを通知できるようにしたことを特徴とするデジタル放送番組予約表示装置。
【請求項１７】
請求項１乃至１６のいずれか１に記載のデジタル放送番組予約表示装置において、前記表示制御手段は、前記予約手段により、任意の番組をその放送時間帯よりも短い時間帯で予約した際に、前記予約情報表示バーにおいて前記番組の予約情報にその放送時間帯全てに渡って予約されていない旨を示す識別情報を含めて表示することにより、前記番組がその放送時間帯全てに渡って予約されていないことを通知できるようにしたことを特徴とするデジタル放送番組予約表示装置。
【請求項１８】
請求項１乃至１７のいずれか１に記載のデジタル放送番組予約表示装置において、前記予約手段は、予約実行時において、１つの番組に対して異なる予約種別の予約を同時に受け付け可能とし、前記表示制御手段は、前記予約種別それぞれの予約情報表示バーにおいて前記番組の予約情報の表示枠を同じ色で表示させることを特徴とするデジタル放送番組予約表示装置。
【請求項１９】
請求項１８に記載のデジタル放送番組予約表示装置において、前記表示制御手段は、前記番組の予約情報を、前記予約種別それぞれの予約情報表示バーにまたがって表示させることを特徴とするデジタル放送番組予約表示装置。
【請求項２０】
請求項１乃至１９のいずれか１に記載のデジタル放送番組予約表示装置において、前記表示制御手段は、前記予約情報表示バーに表示されている番組の予約情報が選択指示されると、該選択指示された番組に関する詳細情報を表示させることを特徴とするデジタル放送番組予約表示装置。
【請求項２１】
請求項１乃至２０のいずれか１に記載のデジタル放送番組予約表示装置において、前記表示制御手段は、前記予約情報表示バーに表示されている番組の予約情報が選択指示されると、該選択指示された番組の予約情報から前記番組の放送種別を判別し、該判別した放送種別に応じた番組表を切り替え表示させることを特徴とするデジタル放送番組予約表示装置。
【請求項２２】
請求項１乃至２１のいずれか１に記載のデジタル放送番組予約表示装置において、前記予約手段は、前記予約情報表示バーにおいて既に予約されている番組の予約種別を変更可能としたことを特徴とするデジタル放送番組予約表示装置。
【請求項２３】
請求項１乃至２２のいずれか１に記載のデジタル放送番組予約表示装置において、前記予約手段は、前記予約情報表示バーにおいて重複予約されている各番組の予約情報に対して予約の優先順位を設定し、該設定した優先順位に基づいて前記重複予約されている各番組の入れ替えを行えるようにしたことを特徴とするデジタル放送番組予約表示装置。
【請求項２４】
請求項１乃至２３のいずれか１に記載のデジタル放送番組予約表示装置において、前記予約手段は、任意の番組をその放送時間帯よりも短い時間帯で予約した際に、前記予約情報表示バーにおける前記番組の予約情報に対して、当該番組の放送時間帯内で予約時間帯を変更できるようにしたことを特徴とするデジタル放送番組予約表示装置。
【発明の詳細な説明】
【技術分野】
【０００１】
本発明は、デジタル放送番組予約表示装置、より詳細には、デジタル放送における番組表の表示や、番組表による視聴予約／録画予約などの予約を行うためのデジタル放送番組予約表示装置に関する。
【背景技術】
【０００２】
既に予約されている番組の時間帯表示を行うためのテレビ放送番組予約表示装置に関し、以下の特許文献１に示すような技術が開示されている。この特許文献１には、電子番組表示のチャンネルとその番組表示欄近傍に現在時刻表示と既予約番組時間帯表示を行い、現在時刻表示により番組予約可能な番組が容易に判別できると共に、前記既予約番組時間帯表示により、番組予約可能な時間帯又は既に番組予約された時間帯を確実に認識可能としたことにより、重複した時間帯での番組予約を回避できるようにした技術が記載されている。
【特許文献１】特開平１１−２３４５８５号公報
【発明の開示】
【発明が解決しようとする課題】
【０００３】
しかしながら、上述の特許文献１では、予約番組時間帯表示において、既に予約されている番組の時間帯が表示されているのみで当該番組の番組情報などを確認することが困難である。また、予約番組の放送種別（ＢＳ，ＣＳ，地上波デジタルなど）に応じて番組表を切り替えて表示したり、任意の放送時間帯に対する重複予約の対応などが困難であるという問題があった。
【０００４】
本発明は、上述のごとき実情に鑑みてなされたもので、デジタル放送の放送信号を受信する受信手段を備えたデジタル放送番組予約表示装置において、番組表と共に番組の予約情報を時間軸で表示するための予約情報表示バーを表示可能とし、その予約情報表示バーを用いて、既予約番組の予約情報や番組情報等の確認を行えるようにすると共に、予約番組の放送種別に応じた番組表の切り替え表示や、任意の放送時間帯に対する重複予約を行えるようにし、さらには、上記予約情報表示バーにより予約の変更や修正なども容易に行えるようにすること、を目的としてなされたものである。
【課題を解決するための手段】
【０００５】
本発明は上述のごとき課題を解決するための技術手段を提供するもので、本発明の第１の技術手段は、デジタル放送の放送信号を受信する受信手段を備えたデジタル放送番組予約表示装置において、前記受信手段により受信した放送信号から電子番組ガイド（ＥＰＧ）データを抽出するＥＰＧデータ抽出手段と、該抽出したＥＰＧデータを格納するＥＰＧデータ格納手段と、該格納したＥＰＧデータから番組表を作成する番組表作成手段と、該作成した番組表を画面に表示させる表示制御手段と、該画面表示した番組表から視聴予約や録画予約などの予約種別に番組予約を実行する予約手段とを備えたことを特徴としたものである。
【０００６】
第２の技術手段は、第１の技術手段において、前記予約手段によって予約された番組の予約情報をその番組データに関連付けて格納する予約情報格納手段を備え、前記表示制御手段は、前記予約情報格納手段により格納した予約情報を時間軸でバー表示し、該予約情報表示バーにより前記番組表に表示されている時間帯において予約の有無を判別できるようにしたことを特徴としたものである。
【０００７】
第３の技術手段は、第１又は第２の技術手段において、前記表示制御手段は、前記予約手段によって予約された番組の予約情報を、予約種別に時間軸でバー表示するための予約情報表示バーを表示させることを特徴としたものである。
【０００８】
第４の技術手段は、第３の技術手段において、前記表示制御手段は、前記予約手段によって予約種別に予約された番組の予約情報を、１つの予約情報表示バーにまとめて表示できるようにしたことを特徴としたものである。
【０００９】
第５の技術手段は、第１乃至第４のいずれか１の技術手段において、前記表示制御手段は、前記予約情報表示バーに含まれる各番組の予約情報に対応させて、予約した番組に関する番組名、放送時間帯などを含む番組情報を表示することを特徴としたものである。
【００１０】
第６の技術手段は、第１乃至第５のいずれか１の技術手段において、前記表示制御手段は、前記予約情報表示バーに既に表示されている番組の表示枠の色と、該番組に対応する前記番組表に表示された番組の表示枠の色とを同じ色で表示することを特徴としたものである。
【００１１】
第７の技術手段は、第１乃至第６のいずれか１の技術手段において、前記予約手段は、予約実行時において、任意の放送時間帯に対して番組の重複予約を受け付けると共に、番組の予約開始／終了時間を当該番組の放送時間帯内で任意に選択可能とし、前記表示制御手段は、前記予約情報表示バーにおいて前記重複予約した番組の予約情報を表示できるようにしたことを特徴としたものである。
【００１２】
第８の技術手段は、第７の技術手段において、前記表示制御手段は、前記予約情報表示バーを表示して予約を行うための予約画面を表示可能とし、該予約画面上で既に番組が予約されている時間帯の少なくとも一部に重複させて新規予約を行う際に、該新規予約する番組の予約情報を前記予約情報表示バーの時間軸に合わせて表示させることを特徴としたものである。
【００１３】
第９の技術手段は、第７又は第８の技術手段において、前記表示制御手段は、前記予約画面上で既に番組が予約されている時間帯の少なくとも一部に重複させて新規予約を行う際に、該新規予約する番組の予約情報を前記予約情報表示バーに既に表示されている番組の予約情報に重ねて表示させることを特徴としたものである。
【００１４】
第１０の技術手段は、第９の技術手段において、前記表示制御手段は、前記予約画面上で既に番組が予約されている時間帯の少なくとも一部に重複させて新規予約を行う際に、該新規予約する番組の予約情報と、前記既に予約されている番組の予約情報とを比較し、その比較結果に基づいて前記重複予約において想定される予約パターンを画面に表示させ、該画面表示させた予約パターンを選択できるようにしたことを特徴としたものである。
【００１５】
第１１の技術手段は、第７乃至第１０のいずれか１の技術手段において、前記表示制御手段は、前記重複予約の対象となる番組の放送時間帯と予約時間帯の双方を含めた前記番組の予約情報を前記予約情報表示バーに表示することにより、重複予約されていることを通知できるようにしたことを特徴としたものである。
【００１６】
第１２の技術手段は、第７乃至第１０のいずれか１の技術手段において、前記表示制御手段は、前記予約情報表示バーに既に表示されている番組の予約情報に前記重複予約の対象となる番組の予約情報を重ねて表示すると共に、該予約情報の表示枠の色を異ならせて表示し、該予約情報の重なり方及び表示枠の色の違いによって重複予約されていることを通知できるようにしたことを特徴としたものである。
【００１７】
第１３の技術手段は、第７乃至第１０のいずれか１の技術手段において、前記表示制御手段は、前記予約情報表示バーに既に表示されている番組の予約情報に前記重複予約の対象となる番組の予約情報を重ねて表示すると共に、該予約情報の表示枠の大きさを異ならせて表示し、該予約情報の重なり方及び表示枠の大きさの違いによって重複予約されていることを通知できるようにしたことを特徴としたものである。
【００１８】
第１４の技術手段は、第７乃至第１０のいずれか１の技術手段において、前記表示制御手段は、前記予約情報表示バーに既に表示されている番組の予約情報に前記重複予約の対象となる番組の予約情報を重ねて表示すると共に、該予約情報に重複予約である旨を示す識別情報を表示し、該予約情報の重なり方及び識別情報によって重複予約されていることを通知できるようにしたことを特徴としたものである。
【００１９】
第１５の技術手段は、第１乃至第１４のいずれか１の技術手段において、前記表示制御手段は、前記予約手段により、任意の番組をその放送時間帯よりも短い時間帯で予約した際に、前記予約情報表示バーにおいて前記番組の予約情報に放送時間帯と予約時間帯の両方を含めて表示することにより、前記番組がその放送時間帯全てに渡って予約されていないことを通知できるようにしたことを特徴としたものである。
【００２０】
第１６の技術手段は、第１乃至第１５のいずれか１の技術手段において、前記表示制御手段は、前記予約手段により、任意の番組をその放送時間帯よりも短い時間帯で予約した際に、前記予約情報表示バーにおいて前記番組の予約時間帯に応じた表示枠に対して前記放送時間帯に応じた表示枠を同時に表示することにより、前記番組がその放送時間帯全てに渡って予約されていないことを通知できるようにしたことを特徴としたものである。
【００２１】
第１７の技術手段は、第１乃至第１６のいずれか１の技術手段において、前記表示制御手段は、前記予約手段により、任意の番組をその放送時間帯よりも短い時間帯で予約した際に、前記予約情報表示バーにおいて前記番組の予約情報にその放送時間帯全てに渡って予約されていない旨を示す識別情報を含めて表示することにより、前記番組がその放送時間帯全てに渡って予約されていないことを通知できるようにしたことを特徴としたものである。
【００２２】
第１８の技術手段は、第１乃至第１７のいずれか１の技術手段において、前記予約手段は、予約実行時において、１つの番組に対して異なる予約種別の予約を同時に受け付け可能とし、前記表示制御手段は、前記予約種別それぞれの予約情報表示バーにおいて前記番組の予約情報の表示枠を同じ色で表示させることを特徴としたものである。
【００２３】
第１９の技術手段は、第１８の技術手段において、前記表示制御手段は、前記番組の予約情報を、前記予約種別それぞれの予約情報表示バーにまたがって表示させることを特徴としたものである。
【００２４】
第２０の技術手段は、第１乃至第１９のいずれか１の技術手段において、前記表示制御手段は、前記予約情報表示バーに表示されている番組の予約情報が選択指示されると、該選択指示された番組に関する詳細情報を表示させることを特徴としたものである。
【００２５】
第２１の技術手段は、第１乃至第２０のいずれか１の技術手段において、前記表示制御手段は、前記予約情報表示バーに表示されている番組の予約情報が選択指示されると、該選択指示された番組の予約情報から前記番組の放送種別を判別し、該判別した放送種別に応じた番組表を切り替え表示させることを特徴としたものである。
【００２６】
第２２の技術手段は、第１乃至第２１のいずれか１の技術手段において、前記予約手段は、前記予約情報表示バーにおいて既に予約されている番組の予約種別を変更可能としたことを特徴としたものである。
【００２７】
第２３の技術手段は、第１乃至第２２のいずれか１の技術手段において、前記予約手段は、前記予約情報表示バーにおいて重複予約されている各番組の予約情報に対して予約の優先順位を設定し、該設定した優先順位に基づいて前記重複予約されている各番組の入れ替えを行えるようにしたことを特徴としたものである。
【００２８】
第２４の技術手段は、第１乃至第２３のいずれか１の技術手段において、前記予約手段は、任意の番組をその放送時間帯よりも短い時間帯で予約した際に、前記予約情報表示バーにおける前記番組の予約情報に対して、当該番組の放送時間帯内で予約時間帯を変更できるようにしたことを特徴としたものである。
【発明の効果】
【００２９】
デジタル放送の放送信号を受信する受信手段を備えたデジタル放送番組予約表示装置において、番組表と共に番組の予約情報を時間軸で表示するための予約情報表示バーを表示可能とし、その予約情報表示バーを用いて、既予約番組の予約情報や番組情報等の確認を行えるようにすると共に、予約番組の放送種別に応じた番組表の切り替え表示や、任意の放送時間帯に対する重複予約を行えるようにし、さらには、上記予約情報表示バーにより予約の変更や修正なども容易に行うことができるため、視聴者は番組表を見ながら迅速且つ簡単に番組予約を行うことができる。
【発明を実施するための最良の形態】
【００３０】
本発明によるデジタル放送番組予約表示装置の実施形態の一例を図１乃至図２２に基づいて以下に説明する。
図１は、本発明のデジタル放送番組予約表示装置を用いて、ＥＰＧデータから作成した番組表と共に予約情報表示バーを表示させたときの表示形態の一例を示す図で、図中、Ａは番組の予約情報を表示するための予約情報表示バーで、該予約情報表示バーＡは、視聴予約の内容を時間軸（本例ではＰＭ３時〜ＰＭ６時）で表示する視聴予約情報表示バー１，録画予約の内容を時間軸で表示する録画予約情報表示バー２からなる。上記視聴予約情報表示バー１にはＰＭ３時〜ＰＭ４時の時間帯で既に視聴予約されている番組７（以下、視聴予約番組７）が表示され、その他の時間帯８（本例ではＰＭ４時〜ＰＭ６時）には視聴予約されていないことを示す。同様に、上記録画予約情報表示バー２にはＰＭ４時〜ＰＭ５時の時間帯で既に録画予約されている番組９（以下、録画予約番組９）が表示され、その他の時間帯１０（本例ではＰＭ３時〜ＰＭ４時及びＰＭ５時〜ＰＭ６時）には録画予約されていないことを示す。
【００３１】
また、図１において、Ｂは放送種別（ＢＳ，ＣＳ，地上波デジタルなど）の番組表で、該番組表Ｂには、番組表Ｂ内の番組名とチャンネル３，番組表Ｂ内で現在選択されている番組１１，番組表Ｂ内で録画予約番組９に対応する番組１２，通常番組１３，番組表Ｂ内で視聴予約番組７に対応する番組１４が表示されている。さらに、予約情報表示バーＡ（視聴予約情報表示バー１及び録画予約情報表示バー２）及び番組表Ｂを含む予約／番組表表示画面は、ＢＳ／ＣＳ／地上波デジタル等の放送種別４（本例ではＢＳ放送），放送日と曜日５，予約情報表示バーＡ及び番組表Ｂに対応する時間帯６，現在選択されている番組（本例では番組１１）の番組情報を表示する表示欄１５，当該予約／番組表表示画面の操作方法をガイドする操作方法ガイド欄１６を表示する。
【００３２】
ここで、視聴予約情報表示バー１及び録画予約情報表示バー２に表示されている視聴予約番組７及び録画予約番組９の表示枠の色（又は表示領域の色）と、番組表Ｂ内での該当する番組（それぞれ番組１４及び番組１２）の表示枠の色（又は表示領域の色）を同じ色で表示することにより、番組表Ｂからも予約されている番組をわかりやすくしている。予約情報表示バーＡ（視聴予約情報表示バー１及び録画予約情報表示バー２）への移動は、図示しないリモコンの『予約』ボタンで行ったり、操作方法ガイド欄１６の各操作ボタン（青ボタン，赤ボタン，緑ボタン，黄ボタンなど）に割り当てておいて移動させてもよい。また、予約情報表示バーＡを用いた予約操作は、操作方法ガイド欄１６の操作ボタン等にそれぞれの処理を割り当てて行うことができる。
【００３３】
図２は、本発明の一実施形態に係わるデジタル放送番組予約表示装置の機能ブロック図で、図中、２０はデジタル放送番組予約表示装置で、該デジタル放送番組予約表示装置２０は、デジタル放送を受信する受信アンテナ２１，受信した放送波をチューニングするチューナ２２，チューニングされたデータを復調する復調部２３，ＥＰＧデータを抽出したり、復調されたデータを分離する分離部２４，分離されたビデオデータをデコードしたり、ビデオ情報を静止画としてキャプチャするビデオデコード／キャプチャ部２８，分離されたＥＰＧの処理やＯＳＤの表示処理、さらにはＥＰＧと予約情報をミックスさせて表示する処理等を実行するＥＰＧ／ＯＳＤ／予約データ処理部２９，分離されたオーディオデータをデコードするオーディオデコード部３０，デコードされたビデオ信号とＥＰＧ／ＯＳＤ／予約情報等を合成してからビデオ出力として変換するビデオ出力変換部３１，デコードされたオーディオ信号を出力信号に変換するオーディオ出力変換部３２を有する。
【００３４】
さらに、デジタル放送番組予約表示装置２０は、チューナ２２の選局を行う選局部２５，任意のアドレスを指定して読み書きすることが可能な半導体メモリであって、抽出したＥＰＧデータを保持しておくＲＡＭ２６，全体の処理をつかさどり視聴予約情報や録画予約情報と対応する番組情報とを関連付けてメモリに格納したり、新規予約情報と既存予約情報との比較処理などを実行するＣＰＵ２７，各種プログラムやユーザデータ、ＥＰＧデータなどを格納する書き換え可能な不揮発性メモリ３３，不揮発性メモリ３３に含まれ且つ視聴予約や録画予約等の予約情報及びその予約情報に関連付けられた番組情報を格納する予約情報格納部３３ａ，リモートコントローラ（リモコン）からの信号を受信するリモコン受光部３５，リモコン受光部３５で受信したリモコンコードを解析するリモコンコード解析部３４を有している。
【００３５】
ここで、ＥＰＧ／ＯＳＤ／予約データ処理部２９は、分離部２４で抽出したＥＰＧデータから番組表を作成すると共に、予約情報格納部３３ａに格納した予約情報を予約種別に時間軸で表示するための予約情報表示バーを作成し、作成した予約情報表示バーを番組表と共に表示するように表示制御を行う機能を有する。
【００３６】
本発明によると、デジタル放送のＥＰＧデータを取得して番組表を表示させ、番組表から視聴予約や録画予約などの各種予約を行うことができると共に、番組表と共に、視聴予約や録画予約の予約情報表示バーをそれぞれ表示することにより、表示されている時間帯において予約番組の有無を容易に知ることができる。
また、予約番組の表示枠の色と番組表に含まれる当該予約番組に応じた番組の表示枠の色を合わせることにより、番組表内で予約された番組を知ることができると共に、予約情報表示バーにより、どの時間帯に予約されているかも容易に知ることができる。
【００３７】
以下に説明する各実施形態は、デジタル放送番組予約表示装置２０により実行されるものとし、デジタル放送番組予約表示装置２０が備えるＥＰＧ／ＯＳＤ／予約データ処理部２９は、番組表や予約情報表示バーなどの表示制御を行うものとする。
【００３８】
図３は、本発明のデジタル放送番組予約表示装置を用いて、ＥＰＧデータから作成した番組表と共に予約情報表示バーを表示させたときの表示形態の他の例を示す図である。本例に示す予約情報表示バーＡは、視聴予約番組及び録画予約番組を１つにまとめた予約情報表示バー４１からなり、１つの予約情報表示バーとして表示した例を示している。ここでは、視聴予約か録画予約かを判別可能にするために、それぞれの予約番組に視聴予約マーク４２，録画予約マーク４３を表示している。ここでも、予約情報表示バー４１に表示されている予約番組の表示枠の色（又は表示領域の色）と、番組表Ｂ内での当該予約番組に応じた番組の表示枠の色（又は表示領域の色）とを同じ色で表示することにより、予約されている番組をわかりやすくしている。
【００３９】
本発明によると、視聴予約及び録画予約の予約情報を１つの予約情報表示バーに表示することにより、表示している番組表の時間帯において全予約情報を網羅した予約の有無を容易に知ることができる。
【００４０】
図４は、本発明のデジタル放送番組予約表示装置を用いて、ＥＰＧデータから作成した番組表と共に表示した予約情報表示バーに番組情報を表示させたときの表示形態の一例を示す図で、本例の予約情報表示バーに登録された番組の予約情報には、放送種別５１，放送局名５２，チャンネル番号５３，番組名５４，放送時間帯５５などの番組情報を含めて表示させることができる。
【００４１】
本発明によると、予約情報表示バーにおいて予約した番組の番組情報を表示することができるため、番組表を表示させながら予約番組の番組情報を容易に確認することができる。
【００４２】
図５は、本発明のデジタル放送番組予約表示装置を用いて、ＥＰＧデータから作成した番組表と共に表示した予約情報表示バーに重複予約を表示させたときの表示形態の一例を示す図で、視聴予約情報表示バー１において、既に予約されている番組６１（ＰＭ３時〜ＰＭ４時）に対して、新規予約番組６２（ＰＭ３時３０分〜ＰＭ４時３０分）を重複予約する場合、ＰＭ３時３０分からＰＭ４時までの間予約が重複するため、既予約番組６１及び新規予約番組６２の表示枠を重ねて表示している。ここでは、ＰＭ３時３０分〜ＰＭ４時の時間帯においては、上に重ねて表示されている新規予約番組６２（本例では「×××スペシャル」）が視聴予約されていることになる。
【００４３】
本発明によると、任意の時間帯に対して重複予約を行うことができると共に、予約情報表示バーを見ただけで該当時間帯において重複予約されていることを知ることができる。
【００４４】
図６は、本発明のデジタル放送番組予約表示装置を用いて、予約画面上に予約情報表示バーを表示させたときの表示形態の一例を示す図で、図中、７０は予約画面で、該予約画面７０において、重複予約する際の目安として予約情報表示バーを使用して番組の重複予約の有無を判別できるようにする。すなわち、視聴予約情報表示バー１又は録画予約情報表示バー２に新規予約を行う番組７２が重複する部分７１（図中の点線部）を表示し、視聴予約情報表示バー１又は録画予約情報表示バー２の時間軸に合わせた状態で新規予約する番組７２を表示させることで、視聴者は番組の重複予約の有無を容易に判別することができる。また、予約画面７０に含まれる各操作ボタンには、予約操作を実行するための機能が割り当てられており、新規予約番組７２を視聴予約する視聴予約７３，新規予約番組７２を録画予約する録画予約７４，新規予約番組７２の視聴及び録画を同時に予約する同時予約７５，新規予約番組７２の予約処理をキャンセルするキャンセル７６などの各種操作を実行する。予約画面７０を表示させることにより予約操作を容易に行うことができる。
【００４５】
本発明によると、予約操作を行う予約画面上に予約情報表示バーを表示することにより、該当時間帯における予約内容を予約情報表示バーにより容易に確認することができる。
【００４６】
図７は、本発明のデジタル放送番組予約表示装置を用いて、ＥＰＧデータから作成した番組表と共に表示させた予約情報表示バーの既予約番組に対して新規の予約番組を重ねて表示させたときの表示形態の一例を示す図で、図中、８１は既に視聴予約されている番組，８３は既に録画予約されている番組，８２は新規予約する番組で、番組表は省略して示している。ここで、新規予約番組８２を新規登録しようとした場合、視聴予約情報表示バー１及び録画予約情報表示バー２の時間軸で表示されている視聴予約番組８１及び録画予約番組８３に対して新規予約番組８２が重ねて表示される。本例では３時３０分〜４時３０分の時間帯に新規予約番組８２が上に重なるように表示されている。その際、操作方法ガイド欄１６の各操作ボタンに割り当てる機能が予約操作用の視聴予約８４，録画予約８５，同時予約８６，キャンセル８７に変更され、予約操作が予約画面を表示せずに、番組表を見ながら行うことができる。
【００４７】
本発明によると、予約画面を表示せずに、番組表を見ながら重複予約を行うことができる上に、予約情報表示バーで番組の重複具合を確認することができるため、視聴者の利便性が向上する。
【００４８】
図８は、本発明のデジタル放送番組予約表示装置を用いて、予約画面上に予約情報表示バーを表示させると共に、複数の異なる重複予約パターンの選択画面を表示させたときの表示形態の一例を示す図で、図中、９０は予約画面で、該予約画面９０において、重複予約時における重複予約パターン一覧（置換予約９１，全時間帯予約９２，空時間帯予約９３，任意予約９４）が表示され、９５は新規予約，９６は既存予約であることを示す。ユーザはこれらの予約パターン一覧から所望の予約パターンを選択することにより、簡単に重複予約を行うことができる。
以下、上記予約パターンを用いた重複予約方法について個々に説明する。
置換予約９１は、重複している既存の予約番組の予約（既存予約９６）を削除してから、新規予約する番組のみを予約（新規予約９５）する予約方法である。全時間帯予約９２は、新規に予約する番組を最優先とし、新規予約番組について全時間帯の予約（新規予約９５）を行う。既存の予約番組は重複部分以外の予約はそのまま保存され予約（既存予約９６）される。空時間帯予約９３は、既存予約の番組を最優先とし、既存予約番組について全時間帯の予約（既存予約９６）を行う。新規の予約番組は重複部分以外の時間帯が予約（新規予約９５）される。任意予約９４は、新規予約番組に対してユーザが開始時間と終了時間を任意に設定することができる予約（新規予約９５）であり、重複部分の予約（既存予約９６）もユーザによって設定することができる。
【００４９】
図９は、図８に示した重複予約パターンの番組開始時間及び番組終了時間に応じた表示パターンの一覧を示す図である。それぞれ既存予約９６の番組の予約開始時間及び予約終了時間と、新規予約９５の番組の予約開始時間及び予約終了時間とを比較することにより、表示させる重複予約パターンを選択する。すなわち、図８に示した置換予約９１，全時間帯予約９２，空時間帯予約９３，任意予約９４それぞれに対して、「既存予約９６に対して、新規予約９５の方が開始時間が早く、終了時間も早いとき」，「既存予約９６に対して、新規予約９５の方が開始時間が早く、終了時間は遅いとき」，「既存予約９６に対して、新規予約９５の方が開始時間が遅く、終了時間は早いとき」，「既存予約９６に対して、新規予約９５の方が開始時間が遅く、終了時間も遅いとき」の４つのパターンを表示させることができ、新規予約９５及び既存予約９６の開始時間／終了時間を比較した結果に基づいて、図８に示した重複予約パターンの表示時において表示させる重複予約パターンを選択して表示させる。
【００５０】
本発明によると、重複予約する際に予約情報表示バーに重ね合わせる時間帯を既存の予約情報と新規の予約情報とを比較することにより、重複予約パターンを選択して表示させることができるため、視聴者は容易に重複予約を行うことができる。
【００５１】
図１０は、本発明のデジタル放送番組予約表示装置を用いて、予約情報表示バーに番組情報として放送時間帯と共に予約時間帯を表示することにより重複予約を判別させるための表示形態の一例を示す図で、視聴予約情報表示バー１上の視聴予約番組１０１には、番組の放送時間帯（ＰＭ３時〜ＰＭ４時）と共に、予約時間帯（ＰＭ３時〜ＰＭ３時３０分）が括弧内に表示されている。これにより、視聴予約番組１０１が、視聴予約番組１０２の番組とＰＭ３時３０分〜ＰＭ４時の時間帯で重複予約になっていることがわかる。
【００５２】
図１１は、本発明のデジタル放送番組予約表示装置を用いて、予約情報表示バー上に表示される予約番組の表示枠の色を異ならせることにより重複予約を判別させるための表示形態の一例を示す図である。本実施形態は、予約情報表示バー上に表示される各予約番組の表示枠の色を異ならせて表示させ、その表示枠の色及び各予約番組の重なり方に基づいて重複予約されていることを通知するものである。
図１１（Ａ）は、番組１及び番組２が重複予約されていないときの表示パターンである。図１１（Ｂ）は、番組１及び番組２が重複予約されているときの表示パターンで、番組１の重複部分は予約されず、番組２が全時間帯予約されている。図１１（Ｃ）は、番組１及び番組２が重複予約されているときの表示パターンで、番組１の予約時間帯の間に、番組２が全時間帯予約されている。図１１（Ｄ）は、番組１，番組２，及び番組３が重複予約されているときの表示パターンで、番組１及び番組２がそれぞれ重複部分は予約されず、番組３のみが全時間帯予約されている。
【００５３】
図１２は、本発明のデジタル放送番組予約表示装置を用いて、予約情報表示バー上に表示される予約番組の表示枠の大きさを異ならせることにより重複予約を判別させるための表示形態の一例を示す図である。本実施形態は、予約情報表示バー上に表示される各予約番組の表示枠の大きさを異ならせて表示させ、その表示枠の大きさ及び各予約番組の重なり方に基づいて重複予約されていることを通知するものである。
図１２（Ａ）は、番組１及び番組２が重複予約されていないときの表示パターンである。以下は、番組１及び番組２が重複予約されているときの表示パターンで、図１２（Ｂ）に示す表示パターンは、番組１の重複部分は予約されず、番組２は全時間帯予約されている。図１２（Ｃ）に示す表示パターンは、番組２の重複部分は予約されず、番組１は全時間帯予約されている。図１２（Ｄ）に示す表示パターンは、番組２の予約時間帯の間に、番組１が全時間帯予約されている。
【００５４】
図１３は、本発明のデジタル放送番組予約表示装置を用いて、予約情報表示バー上に表示される予約番組の表示枠内に重複予約である旨を示すマークを表示することにより重複予約を判別させるための表示形態の一例を示す図である。本実施形態は、予約情報表示バー上に表示される各予約番組に矢印等のマークを付与して表示させ、そのマーク及び各予約番組の重なり方に基づいて重複予約されていることを通知するものである。
図１３（Ａ）は、重複予約されていないときの表示パターンである。以下は、番組１及び番組２が重複予約されているときの表示パターンで、図１３（Ｂ）に示す表示パターンは、番組１の重複部分は予約されず、番組２は全時間帯予約されている。図１３（Ｃ）に示す表示パターンは、番組２の重複部分は予約されず、番組１は全時間帯予約されている。図１３（Ｄ）に示す表示パターンは、番組２の予約時間帯の間に、番組１が全時間帯予約されている。
【００５５】
本発明によると、予約情報表示バーに重複予約であることを示す情報を付加することにより、視聴者は視聴したい番組が重複予約されていることを容易に知ることができる。
【００５６】
図１４は、本発明のデジタル放送番組予約表示装置を用いて、予約情報表示バーにおいて予約番組に放送時間帯及び予約時間帯の両方を含めて表示することにより全時間帯予約であるかどうかを判別させるための表示形態の一例を示す図である。本実施形態によると、視聴予約情報表示バー１に登録された視聴予約番組１１１の予約情報に、放送時間帯（ＰＭ３時〜ＰＭ４時）と予約時間帯（ＰＭ３時〜ＰＭ３時５０分）の両方を含めて表示されているため、この視聴予約番組１１１の予約が全放送時間帯に渡ってされていないことがわかる。尚、録画予約情報表示バー２についても同様に表示することができる。
【００５７】
本発明によると、予約情報表示バーにより番組の全放送時間帯と予約時間帯の両方を表示することにより、予約された番組が全時間帯予約されていないことを容易に知ることができる。
【００５８】
図１５は、本発明のデジタル放送番組予約表示装置を用いて、予約情報表示バーにおいて予約番組の予約時間帯に応じた表示枠に対して放送時間帯に応じた表示枠を合わせて表示することにより全時間帯予約であるかを判別させるための表示形態の一例を示す図である。本実施形態によると、視聴予約情報表示バー１において予約番組の予約時間帯に応じた表示枠１１２と、その予約番組の放送時間帯に応じた表示枠１１３の両方を表示させ、この視聴予約番組の予約が全放送時間帯に渡ってされていないことがわかる。尚、録画予約情報表示バー２についても同様に表示することができる。
【００５９】
本発明によると、予約情報表示バーにより番組の全放送時間帯に応じた表示枠と予約時間帯に応じた表示枠を両方同時に表示することにより、予約された番組が全時間帯予約されていないことを容易に知ることができる。
【００６０】
図１６は、本発明のデジタル放送番組予約表示装置を用いて、予約情報表示バーにおいて予約番組に全時間帯予約でない旨を示すマークを含めて表示することにより全時間帯予約であるかどうかを判別させるための表示形態の一例を示す図である。本実施形態によると、視聴予約情報表示バー１に登録された視聴予約番組１１４の予約情報に、視聴予約番組１１４の予約が全放送時間帯に渡ってされていないことを示すマーク１１５を含めて表示されているため、この視聴予約番組１１４の予約が全放送時間帯に渡ってされていないことがわかる。尚、録画予約情報表示バー２についても同様に表示することができる。
【００６１】
本発明によると、予約情報表示バーにおいて予約された番組が全時間帯予約されていない旨を示すマークを表示することにより、予約された番組が全時間帯予約されていないことを容易に知ることができる。
【００６２】
図１７は、本発明のデジタル放送番組予約表示装置を用いて、予約情報表示バーにおいて１つの番組に対して視聴予約と録画予約の同時予約をしたときの表示形態の一例を示す図である。本実施形態によると、同じ番組に対して、視聴予約情報表示バー１上に視聴予約番組１２１、録画予約情報表示バー２上に録画予約番組１２２がそれぞれ表示されることにより、当該予約が視聴／録画の同時予約であることがわかる。
【００６３】
図１８は、本発明のデジタル放送番組予約表示装置を用いて、予約情報表示バーにおいて１つの番組に対して視聴予約と録画予約の同時予約をしたときの表示形態の他の例を示す図である。本実施形態によると、予約番組１２３が視聴予約情報表示バー１と録画予約情報表示バー２とにまたがって表示されることにより、予約番組１２３の予約が視聴／録画の同時予約であることがわかる。
【００６４】
本発明によると、予約情報表示バーにより１つの番組に対して視聴予約及び録画予約の両方を同時に予約することができ、予約種別が異なっている場合でも予約内容を知ることができる。
【００６５】
図１９は、本発明のデジタル放送番組予約表示装置を用いて、予約情報表示バーに含まれる予約番組の選択指示に従って放送種別に応じた番組表を表示する予約／番組表表示画面の一例を示す図である。本実施形態に示す予約／番組表表示画面では、現在表示中の番組表と違う放送種別の予約番組が予約情報表示バー内にある場合、その予約番組を選択するとその放送種別の番組表に表示が切り替わって表示される。例えば、前述の図１に示したようにＢＳデジタルの番組表が表示されている状態で、放送種別の異なるＣＳデジタル放送のＰＬＡＴ−ＯＮＥの番組が予約されている場合、その視聴予約番組１３２（本例では、Ｇ＋  ベストセレクション）が選択指示されると、番組表Ｂの内容がＢＳデジタルからＰＬＡＴ−ＯＮＥに切り替わって表示される（図中、放送種別１３１がＢＳデジタルからＰＬＡＴ−ＯＮＥに切り替え表示されている）。このＰＬＡＴ−ＯＮＥの番組表Ｂにおいて、１３４は番組名とチャンネルで、１３３は視聴予約情報表示バー１に表示されている視聴予約番組１３２に対応する番組である。この際、該当番組に対応する番組表への移動の確定を、操作方法ガイド欄１６に含まれる操作ボタンのいずれかに割り当てて、「番組表移動」ボタンとして使用する。また、上記の視聴予約番組１３２が選択指示されると、その選択指示された番組に関する詳細情報を表示させるようにしてもよい。
【００６６】
本発明によると、予約情報表示バーから予約されている番組の詳細情報を表示することができる上に、予約情報表示バーから現在視聴している放送種別に関係なく、予約されている番組に応じた放送種別の番組表を表示することができる。
【００６７】
図２０は、本発明のデジタル放送番組予約表示装置を用いて、予約情報表示バーに登録されている予約番組の予約種別を変更するときの予約情報表示バーの表示形態及び操作方法ガイド欄の表示形態の一例を示す図である。図２０（Ａ）は、現状の予約状況を示し、視聴予約情報表示バー１には視聴予約がなく、録画予約情報表示バー２には予約番組（Ｎｅｗｓ）１４１及び予約番組（大相撲）１４２が登録されている。図２０（Ｂ）は、図２０（Ａ）に示す予約情報表示バー（視聴予約情報表示バー１及び録画予約情報表示バー２）と共に表示されている操作方法ガイド欄１６を示す。この操作方法ガイド欄１６の操作ボタンには、「番組表移動」，「重複入替」，「予約種別切替」，「全時間帯予約」が割り当てられており、上記「予約種別切替」の操作ボタンを選択することにより、図２０（Ｃ）に示すように操作方法ガイド欄１６の操作ボタンが、「録画予約へ」，「視聴予約へ」，「同時予約へ」，「キャンセル」に切り替え表示される。ここで、「同時予約へ」の操作ボタンを選択したときに、図２０（Ｄ）に示すように、図２０（Ａ）に示す予約番組１４１の番組枠が、視聴予約情報表示バー１及び録画予約情報表示バー２にまたがって予約番組１４３として表示される。同様な操作で、視聴予約から録画予約へ、あるいは視聴／録画同時予約へ変更することができる。また、録画予約から視聴予約へ、あるいは視聴／録画同時予約へ変更することができる。また、視聴／録画同時予約から視聴予約へ、あるいは録画予約への変更も簡単に変更可能となる。
【００６８】
本発明によると、予約情報表示バーにより、視聴予約を録画予約へ、録画予約を視聴予約へ、録画予約又は視聴予約から録画／視聴の同時予約へ簡単に変更することが可能となり、また、録画／視聴の同時予約から視聴予約のみや録画予約のみへの変更も簡単に行うことができる。
【００６９】
図２１は、本発明のデジタル放送番組予約表示装置を用いて、予約情報表示バーに番組が重複予約されている場合に重複部分の予約の優先順位の変更を行うときの予約情報表示バーの表示形態及び操作方法ガイド欄の表示形態の一例を示す図である。予約情報表示バーに重複予約されている予約番組を選択した状態で、図２１（Ａ）に示す操作方法ガイド欄１６の操作ボタンに割り当てられた「番組表移動」，「重複入替」，「予約種別切替」，「全時間帯予約」から、「重複入替」を選択することにより、図２１（Ｂ）に示すように操作方法ガイド欄１６の操作ボタンが、「最優先」，「１つ下へ」，「１つ上へ」，「キャンセル」に切り替え表示される。すなわち、重複予約部分の優先順位の切り替え（「最優先」，「１つ下へ」，「１つ上へ」）を行うことが可能となる。
【００７０】
以下、上記した優先順位の切り替え「最優先」，「１つ下へ」，「１つ上へ」のそれぞれについて説明する。
図２１（Ｃ）に示すように、予約番組１から予約番組３の３つの番組が重複状態１４４にあり、カーソルが予約番組１上にある状態で、操作方法ガイド欄１６の「最優先」の操作ボタンが押された場合、入れ替え後の重複状態１４５（予約番組１が最優先され全時間帯予約となる）に変更される。本実施形態の場合、予約番組２の予約は見た目上ないものとなり、また予約番組３の開始部分も予約番組１の予約が優先となる。同様に、図２１（Ｃ）に示す重複状態１４４にあり、カーソルが予約番組１上にある状態で、操作方法ガイド欄１６の「１つ上へ」の操作ボタンが押された場合、入れ替え後の重複状態１４６（予約番組１が１つ上に繰り上がる）に変更される。本実施形態の場合、予約番組２の予約は見た目上ないものとなるが、予約番組３の予約はそのまま維持される。
【００７１】
また、図２１（Ｄ）に示す重複状態１４４にあり、カーソルが予約番組３上にある状態で、操作方法ガイド欄１６の「１つ下へ」の操作ボタンが押された場合、入れ替え後の重複状態１４７（予約番組３が１つ下に繰り下がる）に変更される。本実施形態の場合、予約番組１の予約はそのまま維持されるが、予約番組２が最優先となり全時間帯予約状態となる。従って、予約番組３は、予約番組２の終了後から予約番組３の終了までの時間帯で予約される。
【００７２】
本発明によると、予約情報表示バーにより、重複予約されている各番組の重複部分の入れ替えを優先順位に従って簡単に行うことができる。
【００７３】
図２２は、本発明のデジタル放送番組予約表示装置を用いて、予約情報表示バーに登録されている予約番組が全時間帯予約されていない場合に予約時間の変更を行うときの予約情報表示バーの表示形態及び操作方法ガイド欄の表示形態の一例を示す図である。図２２（Ａ）に示す操作方法ガイド欄１６の操作ボタンに割り当てられた「番組表移動」，「重複入替」，「予約種別切替」，「全時間帯予約」から、「全時間帯予約」を選択することにより、図２２（Ｂ）に示すように操作方法ガイド欄１６の操作ボタンが、「全時間帯」，「開始時間移動」，「終了時間移動」，「キャンセル」に切り替え表示される。すなわち、予約番組の予約時間帯の変更（「全時間帯」，「開始時間移動」，「終了時間移動」）を行うことが可能となる。
【００７４】
図２２（Ｃ）に示す予約番組１５１は現在の予約状況であって、予約番組１５１は、放送時間ＰＭ３時〜ＰＭ４時のうち、ＰＭ３時１０分〜ＰＭ３時５０分（予約時間１５１ａ）までが予約されている。ここで、操作方法ガイド欄１６の「全時間帯」の操作ボタンが押された場合、予約変更後には予約時間１５１ｂに変更される。この場合、全時間帯予約に変更されたため、番組放送時間一杯まで予約枠が広がり、放送時間の全時間（ＰＭ３時〜ＰＭ４時）が予約されたことになる。
また、操作方法ガイド欄１６の「開始時間移動」の操作ボタンが押された場合、予約変更後には予約時間１５１ｃに変更される。この場合、番組の開始時間まで予約枠が広がりＰＭ３時〜ＰＭ３時５０分まで予約されたことになる。
また、操作方法ガイド欄１６の「終了時間移動」の操作ボタンが押された場合、予約変更後には予約時間１５１ｄに変更される。この場合、番組の終了時間まで予約枠が広がりＰＭ３時１０分〜ＰＭ４時まで予約されたことになる。
【００７５】
本発明によると、予約情報表示バーにより、全時間帯予約されていない番組を全時間帯予約に変更したり、予約開始／終了時間の変更などを簡単に行うことができる。
【図面の簡単な説明】
【００７６】
【図１】本発明のデジタル放送番組予約表示装置を用いて、ＥＰＧデータから作成した番組表と共に予約情報表示バーを表示させたときの表示形態の一例を示す図である。
【図２】本発明の一実施形態に係わるデジタル放送番組予約表示装置の機能ブロック図である。
【図３】本発明のデジタル放送番組予約表示装置を用いて、ＥＰＧデータから作成した番組表と共に予約情報表示バーを表示させたときの表示形態の他の例を示す図である。
【図４】本発明のデジタル放送番組予約表示装置を用いて、ＥＰＧデータから作成した番組表と共に表示した予約情報表示バーに番組情報を表示させたときの表示形態の一例を示す図である。
【図５】本発明のデジタル放送番組予約表示装置を用いて、ＥＰＧデータから作成した番組表と共に表示した予約情報表示バーに重複予約を表示させたときの表示形態の一例を示す図である。
【図６】本発明のデジタル放送番組予約表示装置を用いて、予約画面上に予約情報表示バーを表示させたときの表示形態の一例を示す図である。
【図７】本発明のデジタル放送番組予約表示装置を用いて、ＥＰＧデータから作成した番組表と共に表示させた予約情報表示バーの既予約番組に対して新規の予約番組を重ねて表示させたときの表示形態の一例を示す図である。
【図８】本発明のデジタル放送番組予約表示装置を用いて、予約画面上に予約情報表示バーを表示させると共に、複数の異なる重複予約パターンの選択画面を表示させたときの表示形態の一例を示す図である。
【図９】図８に示した重複予約パターンの番組開始時間及び番組終了時間に応じた表示パターンの一覧を示す図である。
【図１０】本発明のデジタル放送番組予約表示装置を用いて、予約情報表示バーに番組情報として放送時間帯と共に予約時間帯を表示することにより重複予約を判別させるための表示形態の一例を示す図である。
【図１１】本発明のデジタル放送番組予約表示装置を用いて、予約情報表示バー上に表示される予約番組の表示枠の色を異ならせることにより重複予約を判別させるための表示形態の一例を示す図である。
【図１２】本発明のデジタル放送番組予約表示装置を用いて、予約情報表示バー上に表示される予約番組の表示枠の大きさを異ならせることにより重複予約を判別させるための表示形態の一例を示す図である。
【図１３】本発明のデジタル放送番組予約表示装置を用いて、予約情報表示バー上に表示される予約番組の表示枠内に重複予約である旨を示すマークを表示することにより重複予約を判別させるための表示形態の一例を示す図である。
【図１４】本発明のデジタル放送番組予約表示装置を用いて、予約情報表示バーにおいて予約番組に放送時間帯及び予約時間帯の両方を含めて表示することにより全時間帯予約であるかどうかを判別させるための表示形態の一例を示す図である。
【図１５】本発明のデジタル放送番組予約表示装置を用いて、予約情報表示バーにおいて予約番組の予約時間帯に応じた表示枠に対して放送時間帯に応じた表示枠を合わせて表示することにより全時間帯予約であるかを判別させるための表示形態の一例を示す図である。
【図１６】本発明のデジタル放送番組予約表示装置を用いて、予約情報表示バーにおいて予約番組に全時間帯予約でない旨を示すマークを含めて表示することにより全時間帯予約であるかどうかを判別させるための表示形態の一例を示す図である。
【図１７】本発明のデジタル放送番組予約表示装置を用いて、予約情報表示バーにおいて１つの番組に対して視聴予約と録画予約の同時予約をしたときの表示形態の一例を示す図である。
【図１８】本発明のデジタル放送番組予約表示装置を用いて、予約情報表示バーにおいて１つの番組に対して視聴予約と録画予約の同時予約をしたときの表示形態の他の例を示す図である。
【図１９】本発明のデジタル放送番組予約表示装置を用いて、予約情報表示バーに含まれる予約番組の選択指示に従って放送種別に応じた番組表を表示する予約／番組表表示画面の一例を示す図である。
【図２０】本発明のデジタル放送番組予約表示装置を用いて、予約情報表示バーに登録されている予約番組の予約種別を変更するときの予約情報表示バーの表示形態及び操作方法ガイド欄の表示形態の一例を示す図である。
【図２１】本発明のデジタル放送番組予約表示装置を用いて、予約情報表示バーに番組が重複予約されている場合に重複部分の予約の優先順位の変更を行うときの予約情報表示バーの表示形態及び操作方法ガイド欄の表示形態の一例を示す図である。
【図２２】本発明のデジタル放送番組予約表示装置を用いて、予約情報表示バーに登録されている予約番組が全時間帯予約されていない場合に予約時間の変更を行うときの予約情報表示バーの表示形態及び操作方法ガイド欄の表示形態の一例を示す図である。
【符号の説明】
【００７７】
１…視聴予約情報表示バー、２…録画予約情報表示バー、３，１３４…番組名とチャンネル、４，５１，１３１…放送種別、５…放送日と曜日、６…予約情報表示バー及び番組表の時間帯、７，８１，１０１，１０２，１１１，１１４，１２１，１３２…視聴予約番組、８…視聴予約されていない時間帯、９，１２２…録画予約番組、１０…録画予約されていない時間帯、１１…現在選択されている番組、１２…番組表内の録画予約されている番組、１３…通常番組、１４…番組表内の視聴予約されている番組、１５…現在選択されている番組の番組情報、１６…操作方法ガイド欄、２０…、デジタル放送番組予約表示装置、２１…受信アンテナ、２２…チューナ、２３…復調部、２４…分離部、２５…選局部、２６…ＲＡＭ、２７…ＣＰＵ、２８…ビデオデコード／キャプチャ部、２９…ＥＰＧ／ＯＳＤ／予約データ処理部、３０…オーディオデコード部、３１…ビデオ出力変換部、３２…オーディオ出力変換部、３３…書き換え可能な不揮発性メモリ、３３ａ…予約情報格納部、３４…リモコンコード解析部、３５…リモコン受光部、４１…予約情報表示バー、４２…視聴予約マーク、４３…録画予約マーク、５２…放送局名、５３…チャンネル番号、５４…番組名、５５…放送時間帯、６１…既に予約されている番組、６２，７２，８２…新規予約番組、７０，９０…予約画面、７１…重複する部分、７３，８４…視聴予約、７４，８３，８５…録画予約、７５，８６…同時予約、７６，８７…キャンセル、９１…置換予約、９２…全時間帯予約、９３…空時間帯予約、９４…任意予約、９５…新規予約、９６…既存予約、１１２…予約時間帯に応じた表示枠、１１３…放送時間帯に応じた表示枠、１１５…マーク、１２３，１４１，１４２，１４３，１５１…予約番組、１３３…視聴予約情報表示バーに表示されている予約番組に対応する番組、１４４，１４５，１４６，１４７…重複状態、１５１ａ，１５１ｂ，１５１ｃ，１５１ｄ…予約時間。
【図１】
2005191944.tif 000003
【図２】
2005191944.tif 000004
【図３】
2005191944.tif 000005
【図４】
2005191944.tif 000006
【図５】
2005191944.tif 000007
【図６】
2005191944.tif 000008
【図７】
2005191944.tif 000009
【図８】
2005191944.tif 000010
【図９】
2005191944.tif 000011
【図１０】
2005191944.tif 000012
【図１１】
2005191944.tif 000013
【図１２】
2005191944.tif 000014
【図１３】
2005191944.tif 000015
【図１４】
2005191944.tif 000016
【図１５】
2005191944.tif 000017
【図１６】
2005191944.tif 000018
【図１７】
2005191944.tif 000019
【図１８】
2005191944.tif 000020
【図１９】
2005191944.tif 000021
【図２０】
2005191944.tif 000022
【図２１】
2005191944.tif 000023
【図２２】
2005191944.tif 000024